(57)【要約】【課題】同一の大きさの２枚の遮光幕を用いそれぞれを駆動する帯状電極の駆動信号が干渉しないような光量調節装置を提供する。【解決手段】シャッタ装置４は、透明で表面に光学的開口部１５を除く全面に塗装１６等の遮光処理が施され裏面に帯状電極１８が設けられた第１の基板８、第１の遮光幕１０を移動可能に枠内に収容する第１のスペーサ９、干渉防止部材１１、第２の遮光幕１２を移動可能に収容する第２のスペーサ１３及び光学的開口部１９を除く部分に帯状電極２２を備えた第２の基板１４が密着して積層される。第１の遮光幕１０は第１の基板８の帯状電極１８により駆動され、第２の遮光幕１２は第２の基板１４の帯状電極２２によって駆動される。干渉防止部材１１は透明の板ガラスで絶縁性を有し第１の遮光幕１０と第２の遮光幕１２の間に介在することにより第１の基板８の帯状電極１８及び第２の基板１４の帯状電極２２の駆動信号がそれぞれ第２遮光幕１２及び第１の遮光幕１０の駆動に影響を及ぼすことを低減する。【選択図】      図２
2005316328.tif 000002
【特許請求の範囲】
【請求項１】
光学的開口部と帯状電極を有する第１の基板と、予め所望のピッチで電気的に分極され前記第１の基板の前記帯状電極により駆動される第１の遮光幕と、予め所望のピッチで電気的に分極された第２の遮光幕と、該第２の遮光幕を駆動するための帯状電極及び光学的開口部を有する第２の基板と、の順で積層される光量調節装置において、
前記第１の基板の前記帯状電極に印加され前記第１の遮光幕を駆動するための信号が前記第２の遮光幕の駆動に影響するのを低減するように及び前記第２の基板の前記帯状電極に印加され前記第２の遮光幕を駆動するための信号が前記第１の遮光幕の駆動に影響するのを低減するように設けられた干渉防止部材を有することを特徴とする光量調節装置。
【請求項２】
前記干渉防止部材は、光学的開口部を設けた絶縁性部材であり、前記第１の遮光幕と前記第２の遮光幕の間に配置されることを特徴とする請求項１記載の光量調節装置。
【請求項３】
前記干渉防止部材は、光学的開口部を設けた絶縁性部材であり、少なくとも前記第１の遮光幕又は前記第２の遮光幕の互いが対向する面側に設けられたことを特徴とする請求項１記載の光量調節装置。
【請求項４】
前記干渉防止部材は、光学的開口部を設けた導電性材料であり、前記第１の遮光幕と前記第２の遮光幕の間に配置されると共に、光量調整装置が組み込まれる機器の接地側に接続されることを特徴とする請求項１記載の光量調節装置。
【請求項５】
前記干渉防止部材は、光学的開口部以外の面を導電性を有する遮光性部材で覆われたガラス板であることを特徴とする請求項４記載の光量調節装置。
【請求項６】
前記干渉防止部材は、光学的開口部に透明導電性部材を設けると共に、光学的開口部以外の部分を導電性を有する遮光部材で覆われたガラス板であることを特徴とする請求項４記載の光量調節装置。
【請求項７】
前記干渉防止部材は、光学的開口部を設けた遮光性の導電製樹脂シート部材であることを特徴とする請求項４記載の光量調節装置。
【請求項８】
前記干渉防止部材は、光学的開口部を設けた金属シート部材であることを特徴とする請求項４記載の光量調節装置。
【請求項９】
前記金属シート部材は、反射防止処理が施されていることを特徴とする請求項８記載の光量調節装置。
【請求項１０】
請求項１乃至９のいずれかに記載の光量調節装置を光学系のシャッタ位置に備えたことを特徴とするカメラ。
【発明の詳細な説明】
【技術分野】
【０００１】
エレクトレット型又は誘導電荷型の２枚の遮光幕をそれぞれ対応する帯状電極で相互の干渉を低減させた状態で駆動する光量調節装置及びそれを用いたカメラに関する。
【背景技術】
【０００２】
従来、カメラのフォーカルプレーンシャツタのような２枚の遮光幕を駆動する方法として誘導電荷型のアクチュエータを応用した例が提案されている。（例えば、特許文献１参照。）
この技術は、１個のステータ（固定子）の両面に設けられた帯状電極の誘導電荷を移動させることにより、それぞれの帯状電極に対向して配置された２個のスライダ（移動子）を移動させている。そして、２個のスライダをシャッタ幕、絞り羽根として機能させようとしている。
【特許文献１】特開平０８−２２０５９２号公報（［００１１］、図２）
【発明の開示】
【発明が解決しようとする課題】
【０００３】
ところで、上記特許文献１の構成は、中間に位置する１個のステータの両面に帯状電極を設けているので、両面の帯状電極の駆動信号が相互に干渉しやく、つまりスライダが反対側帯状電極の影響を受けやすく、したがって、精度良くスライダを駆動できないことがある。
【０００４】
この不具合を避けるために、特許文献１では、ステータ表裏の帯状電極を、一方を光学的開口部に近接する位置に配置し、他方を光学的開口部に対し一方の外側となる位置にずらして配置して、両面の帯状電極相互の干渉を低減させるようにしている。
しかしながら、そのようにステータ表裏の帯状電極を光学的開口部に対し内外にずらして配置すると、一方の外側となる位置にずらした帯状電極で駆動されるスライダが、帯状電極が外側にずれている分だけ大きくなり、このためシャッタ装置が大型化し、カメラの小型化を阻害するという問題が発生する。
【０００５】
本発明の課題は、上記従来の実情に鑑み、２枚の遮光幕を同一の大きさで構成し且つそれぞれを駆動する帯状電極の駆動信号が干渉しないような光量調節装置及びそれを用いたカメラを提供することである。
【課題を解決するための手段】
【０００６】
先ず、第１の発明の光量調節装置は、光学的開口部と帯状電極を有する第１の基板と、予め所望のピッチで電気的に分極され上記第１の基板の上記帯状電極により駆動される第１の遮光幕と、予め所望のピッチで電気的に分極された第２の遮光幕と、該第２の遮光幕を駆動するための帯状電極及び光学的開口部を有する第２の基板と、の順で積層される光量調節装置において、上記第１の基板の上記帯状電極に印加され上記第１の遮光幕を駆動するための信号が上記第２の遮光幕の駆動に影響するのを低減するように及び上記第２の基板の上記帯状電極に印加され上記第２の遮光幕を駆動するための信号が上記第１の遮光幕の駆動に影響するのを低減するように設けられた干渉防止部材を有して構成される。
【０００７】
上記干渉防止部材は、例えば光学的開口部を設けた絶縁性部材であり、上記第１の遮光幕と上記第２の遮光幕の間に配置されるように構成される。
また、上記干渉防止部材は、例えば光学的開口部を設けた絶縁性部材であり、少なくとも上記第１の遮光幕又は上記第２の遮光幕の互いが対向する面側に設けられることが好ましい。
【０００８】
また、上記干渉防止部材は、例えば光学的開口部を設けた導電性材料であり、上記第１の遮光幕と上記第２の遮光幕の間に配置されると共に、光量調整装置が組み込まれる機器の接地側に接続されるように構成してもよい。
この場合、上記干渉防止部材は、例えば光学的開口部以外の面を導電性を有する遮光性部材で覆われたガラス板で構成してもよく、また、例えば、光学的開口部に透明導電性部材を設けると共に、光学的開口部以外の部分を導電性を有する遮光部材で覆われたガラス板で構成してもよく、また、例えば光学的開口部を設けた遮光性の導電製樹脂シート部材で構成してもよく、また、例えば光学的開口部を設けた金属シート部材で構成してもよい。このように金属シート部材で構成するときは、例えば反射防止処理が施されていることが好ましい。
【０００９】
次に、第２の発明のカメラは、上記のいずれかに記載の光量調節装置を光学系のシャッタ位置に備えて構成される。
【発明の効果】
【００１０】
本発明の一つの方法によれば、絶縁性を有する干渉防止部材を第１の遮光幕と第２の遮光幕の間に配置するので、第１の遮光幕が第２の帯状電極の影響を受けることを低減させると共に第２の遮光幕が第１の帯状電極の影響を受けることを低減させることができる。
また、本発明の他の方法によれば、導電性の干渉防止部材を第１遮光幕と第２の遮光幕の間に配置すると共に光量調節装置が組み込まれる機器の接地側に接続するので、第１の遮光幕が第２の帯状電極の影響を受けることを低減すると共に第２の遮光幕が第１の帯状電極の影響を受けることを低減することができる。
【００１１】
また、いずれの場合も、帯状電極を基板の中央から外側にずらして配置する必要がないので、装置の小型化が可能となる。
【発明を実施するための最良の形態】
【００１２】
以下、本発明の実施の形態を図面を参照しながら説明する。
図１(a) は、本発明の光量調節装置としてのフォーカルプレーンシャッタ装置が組み込まれたカメラ本体のレンズを取り外した正面図であり、同図(b) はそのレンズの正面図、同図(c) は、同図(a) のフォーカルプレーンシャッタ装置を取り除いて、その背後の最奥部分の構成を示す図である。
【００１３】
同図(a) に示すカメラ本体１は、交換レンズ取り付け部２から同図(b) に示す交換レンズ３を取り外してレンズ背後に在る内部構成を示している。同図(a) に示す内部構成において、焦点面の被写体側近傍に実施例１としてのフォーカルプレーンシャッタ装置４が組み込まれている。同図ではフォーカルプレーンシャッタ装置４の中央部分が見えている。尚、同図(a) には、フォーカルプレーンシャッタ装置４を図示しやすくするために、本来はその手前に配置されているクイックリターンミラーの図示を省略している。このカメラ本体１は、図の左側に電池室を兼ねた握り部５があり、その上面部にシャッタボタン６を備えている。
【００１４】
同図(c) に示すように、カメラ本体１のレンズ背後の内部構成から更にフォーカルプレーンシャッタ装置４を取り除いたその背後の構成は、最奥部分に撮像素子の受光面７が配置されている。
【実施例１】
【００１５】
図２(a) は、実施例１としてのフォーカルプレーンシャッタ装置４の分解斜視図であり、同図(b) は、同図(a) のＡ矢視図である。同図(a) に示すように、本例のフォーカルプレーンシャッタ装置４は、同図(a) の左から示す第１の基板８、第１のスペーサ９、第１の遮光幕１０、干渉防止部材１１、第２の遮光幕１２、第２のスペーサ１３、及び第２の基板１４とで構成される。
【００１６】
第１の基板８は、例えばガラス板のような透明な部材からなり、組み立て後に外側となる面には光学的開口部１５を除く全面に例えば黒色の塗装１６等により遮光処理がなされている。また、組み立て後に内側となる面には、同図(b) に示すように、光学的開口部１５と遮光幕非移動部１７を除く面全面に、帯状電極１８（駆動電極）が設けられている。
【００１７】
第２の基板１４も同様にガラス板のような透明な部材からなり、第１の基板７に対し、干渉防止部材１１の中心点に対し点対称の形状で、光学的開口部１９と遮光幕非移動部２１を除く内側面全面に帯状電極２２が設けられている。
第１のスペーサ９は、第１の基板８と干渉防止部材１１との間に第１の遮光幕１０が移動可能な間隙を維持するために配置されている。第２のスペーサ１３も同様に、第２の基板１４と干渉防止部材１１との間に第２の遮光幕１２が移動可能な間隙を維持するために配置されている。
【００１８】
第１の遮光幕１０及び第２の遮光幕１２は、詳しくは後述するが、予め所望のピッチで電気的に分極されたエレクトレットが施されており、それぞれ第１のスペーサ９及び第２のスペーサ１３の枠内に嵌入し、第１の基板８の帯状電極１８及び第２の基板１４の帯状電極２２によって、あるときは光学的開口部１５及び１９の光路を遮断し、あるときは開放するように駆動される。
【００１９】
本例の干渉防止部材１１は、透明の板ガラスで形成されており、第１の遮光幕１０と第２の遮光幕１２の間に配置される。
このように絶縁性の干渉防止部材１１が第１の遮光幕１０と第２の遮光幕１２の間に介在することにより、第１の基板８に設けられた帯状電極１８及び第２の基板１４に設けられた帯状電極２２に印加される駆動信号が、それぞれ第２遮光幕１２及び第１の遮光幕１０の駆動に影響を及ぼすことを低減することができる。
【００２０】
ここで、本例のフォーカルプレーンシャッタ装置４における遮光幕を駆動するシャッタ機構の駆動原理を説明する。尚、この駆動原理は、以下に実施例２〜７として述べる本発明のシャッタ装置に共通するものである。
図３(a),(b) は、本発明のシャッタ装置におけるシャッタ機構の駆動原理を説明する図である。尚、以下の駆動原理の説明では、第１又は第２の基板に代えて固定子２３と言い、第１又は第２の遮光幕に代えて移動子２４と言うことにする。
【００２１】
本シャッタ機構は、基本的に固定子２３と移動子２４とを備え、移動子２４は、固定子２３に対して同図(a),(b) に示すように左右方向に移動自在に構成されている。そして、固定子２３には、被写体からの光像を撮像素子の受光面（図(c) の撮像素子の受光面７参照）に導くための開口部（光学的開口部２５）が設けられ、更に、複数の帯状電極２６が所定の間隔で並べて形成されている。他方の移動子２４は、遮光性を有する部材であり、永久分極された誘電体の部位を備えている。このような移動子２４の構成はエレクトレットと呼ばれている。
【００２２】
一般に、エレクトレットとは、電気を通しにくい例えばテフロン（登録商標）、ポリプロピレン、マイラーなどの高分子材料を加熱溶融し、これに直流の高電圧を加えながら電極の間で固化させたあとで電極を取り去ると、電極に接していた面が正または負に帯電し、これらの分極（正と負の電気に分かれた状態）が半永久的に保持されているもののことを称する用語である。
【００２３】
上記のシャッタ機構において、帯状電極２６に正負の電圧を周期的に印加すると、帯状電極２６と移動子２４の上記エレクトレットとの間に吸引力又は反発力が発生し、結果的に移動子２４が固定子２３に対して相対移動する。
したがって、移動子２４が固定子２３の開口部（光学的開口２５）を開放又は遮蔽するように移動可能にすることによってシャッタ機構を構成することができる。図３(a) はシャッタが開の状態を示し、同図(b) はシャッタが閉の状態を示している。以下、本構成に係るシャッタ機構を「エレクトレットシャッタ」と称することにする。
【００２４】
なお、固定子２３の開口部（光学的開口２５）は、必ずしも貫通孔のような物理的な開口部とする必要はなく、固定子２３を透過部材とし、開口部に相当する位置に帯状電極２６が設けられていない透過領域を形成するようにしても良い。
図４は、本発明のシャッタ装置に係わるエレクトレットシャッタとその駆動回路を模式的に示す図である。同図は右にエレクトレットシャッタの断面を模式的に示し、左に駆動回路をブロック図で示している。同図に示すように、固定子２３に並べられたそれぞれの帯状電極２６には、駆動（電圧印加）回路２７からの電圧信号線が接続されている。この電圧信号線には４相の電圧信号が印加され、従って、帯状電極２６には、４本毎に同一の電圧信号が印加される。図４では、帯状電極２６にＡ、Ｂ、Ｃ、Ｄの符号を付してこの電圧信号を区別している。
【００２５】
この固定子２３の帯状電極２６の配設面に対向して移動子２４が配置されている。移動子２４には、固定子２３との対向面に永久分極された上述した誘電体（エレクトレット）２８を複数（図４では代表的に２８ａ、２８ｂ）備えている。
同図の左に示す駆動回路２７では、パルス発生回路２９−１で矩形波列（駆動パルス信号）が生成され、この駆動パルス信号が昇圧回路２９−２と位相器２９−３に供給される。昇圧回路２９−２では、入力した駆動パルス信号を１００Ｖ程度まで昇圧するとともに、２つの極性を有する電圧信号に分岐して、帯状電極Ａ及びＣに供給する。
【００２６】
他方、位相器２９−３に入力した駆動パルス信号は、９０°位相が遅れた波形となり、その後、昇圧回路２９−２に入力されて、上述と同様の２つの極性を有する電圧信号に分岐されて帯状電極Ｂ及びＤに供給される。
図５は、駆動回路２７によって生成されて帯状電極２６に印加される電圧信号列を示す図である。帯状電極２６の電圧の状態は、期間Ｔにおけるｔ１〜ｔ４の４つの状態変化が時間ｔにおける期間Ｔごとの経過に対応して繰り返される。
【００２７】
図６は、上記のエレクトレットシャッタの動作を更に説明する図である。同図(a) は図５において各帯状電極２６（Ａ，Ｂ，Ｃ，Ｄ）の電圧状態が、図５に示したｔ１の印加電圧の状態に切り替った直後のエレクトレットと帯状電極との対応関係を示している。
エレクトレット２８ａは、帯状電極Ａから反発力を受け、帯状電極Ｂから吸引力を受ける。また、エレクトレット２８ｂは、帯状電極Ｃから反発力を受け、帯状電極Ｄから吸引力を受ける。このため、移動子２４は図の右方向に力を受けて、１つの帯状電極ピッチｄだけ移動する。
【００２８】
図６(b) は、上記に続いて図５に示したｔ２の印加電圧の状態に切り替った直後のエレクトレットと帯状電極との対応関係を示している。エレクトレット２８ａは、帯状電極Ｂから反発力を受け、帯状電極Ｃから吸引力を受ける。また、エレクトレット２８ｂは、帯状電極Ｄから反発力を受け、帯状電極Ａから吸引力を受ける。このため、移動子２４は図の右方向に力を受けて、再び１つの帯状電極ピッチｄだけ移動する。
【００２９】
図６(c) は、上記に続いて図５に示したｔ３の印加電圧の状態に切り替った直後のエレクトレットと帯状電極との対応関係を示し、図６(d) は、同図(c) に続いて図５に示したｔ４の印加電圧の状態に切り替った直後のエレクトレットと帯状電極との対応関係を示している。図６(a),(b) で説明した動作と同様に、移動子２４は、１つの帯状電極ピッチｄだけ順次移動する。
【００３０】
そして、この動作が繰り返されることにより、移動子２４は図の右方向に移動する。なお、移動子２４を図の左方向に移動させるためには、帯状電極２６に印加する電圧の極性を逆に切り替えればよい。
このように、本例の移動子２４は、それ自体が半永久的な分極帯電部を備えているので、例えば誘導電荷形アクチュエータのように、電圧印加、電荷蓄電及び静電誘導を繰り返す手数と時間を要することなく、単に駆動電圧の印加だけで移動子を迅速に駆動することができる。
【実施例２】
【００３１】
図７は、実施例２としてのフォーカルプレーンシャッタ装置の分解斜視図である。尚、同図には、図２(a) と同一構成の部材には、図２(a) と同一の番号を付与して示している。すなわち、図７に示すフォーカルプレーンシャッタ装置３０は、同図の左から図２(a) と同一構成の第１の基板８、第１のスペーサ９、第１の遮光幕１０、図２(a) とは異なる構成の干渉防止部材３１、図２(a) と同一構成の第２の遮光幕１２、第２のスペーサ１３、及び第２の基板１４で構成されている。
【００３２】
本例の干渉防止部材３１は、絶縁性を有する額縁形状の樹脂製部材であり、適切な板厚を設定することにより、第１の遮光幕１０と第２の遮光幕１２を適切な間隔に調整することができ、第１の基板８及び第２の基板１４に設けられた帯状電極に印加される駆動信号が、それぞれ第２の遮光幕１２及び第１の遮光幕１０の駆動に影響を及ぼすことを低減することができる。
【実施例３】
【００３３】
図８は、実施例３としてのフォーカルプレーンシャッタ装置の分解斜視図である。尚、同図も、図２(a) と同一構成の部材には、図２(a) と同一の番号を付与して示している。図８に示すフォーカルプレーンシャッタ装置３２は、同図の左から第１の基板８、スペーサ３３、第１の遮光幕１０、干渉防止部材３４、この干渉防止部材３４に一体に固定された第２の遮光幕１２、及び第２の基板１４で構成されている。
【００３４】
上記の干渉防止部材３４は、絶縁性の樹脂部材からなるコの字形の枠形状を成し、第２の遮光幕１２の第１の遮光幕１０に対向する面に固定されている。
スペーサ３３は、その枠内に、第１の遮光幕１０と、干渉防止部材３４を固定された第２の遮光幕１２を移動可能に収容するだけの枠の厚さを備えている。
【００３５】
本例の構成において、上記の干渉防止部材３４の板厚を適切に設定することにより、第１の遮光幕１０と第２の遮光幕１２を適切な間隔に調整することができ、第１の基板８及び第２の基板１４に設けられた帯状電極に印加される駆動信号がそれぞれ第２の遮光幕１２及び第１の遮光幕１０の駆動に影響を及ぼすことを低減することができる。
【００３６】
尚、上記の干渉防止部材３４は、本例では第２の遮光幕１２に固定しているが、これに限ることなく、第１の遮光幕１０の第２の遮光幕１２に対向する面に固定するようにしてもよい。また、干渉防止部材３４の形状をコの字形にしているが、これに限ることなく、スペーサ３３と同様の（但しスペーサ３３内に入る一回り小さい）矩形枠としてもよく、また、ニの字形状にして遮光幕に固定するようにしてもよい。
【００３７】
（実施例４〜７）
図９(a),(b) は、実施例４〜７の光量調節装置としてのレンズシャッタ装置を備えるレンズ装置が組み込まれたデジタルカメラの概略構成を示す図である。同図(a) はそのデジタルカメラの前面からの外観斜視図を示し、同図(b) はデジタルカメラ内部の主要部の配置状態を斜視図で示している。
【００３８】
同図(a) に示すように、デジタルカメラ３５は、前面右上隅に撮影レンズ窓３６を備え、その左方にストロボ照射窓３７を備えている。また、上面の左端部にはレリーズボタン３８が設けられている。
同図(b) に示すように、デジタルカメラ３５の内部は、全体の左方ほぼ２／３を占めて、各種の電子部品を搭載した回路基板３９からなる制御装置や着脱交換自在な電池４１などが配置されている。そして、その右方の全体のほぼ１／３を占める部分には、ユニット化されたレンズ装置４２が配設されている。
【００３９】
レンズ装置４２は、同図(a) の撮影レンズ窓３６から同図(b) に示す撮影光軸Ｏ１に沿って入射する被写体からの光束を、その光軸Ｏ１がほぼ直角に下方に折り曲がるように反射させ、その下方に折り曲げられた後述する第２の光軸Ｏ２に沿って、上記の入射光束を、レンズ装置４２の下端部に配設されている例えばＣＣＤなどからなる撮像素子まで導いて撮像画像を生成する。
【００４０】
図１０は、図９(b) に示すレンズ装置４２のＡ−Ａ´矢視断面をデジタルカメラ３５の図９(b) の左方から見た図であり、レンズユニット各部の概略の構成を示している。図９(b) に示したレンズ装置４２の内部には、この図１０に示すように、上記下方に折り曲げられた第２の光軸Ｏ２に沿って、第１の固定鏡枠部４３にレンズ群が保持された第１の固定レンズ部４４、第１の移動鏡枠４５にレンズ群が保持された第１の移動レンズ部４６、第２の移動鏡枠４７にレンズ群が保持された第２の移動レンズ部４８、第３の移動鏡枠４９にレンズが保持された第３の移動レンズ部５１、及び第２の固定鏡枠部５２にレンズが保持された第２の固定レンズ部５３が備えられている。そして、これらのレンズ部の終端に撮像素子５４が配置されている。
【００４１】
上記第１の移動レンズ部４６及び第２の移動レンズ部４８は、このレンズ装置４２の光学系の第２の光軸Ｏ２に沿って入射する被写体の光束の焦点距離を変化させる、つまりズーム比調節用のために設けられ、第３の移動レンズ部５１は、上記の光束が撮像素子５４上に結像する焦点調節のために設けられている。そして、上記第１の移動レンズ部４６と第２の移動レンズ部４８の間には、シャッタ位置（絞り位置でもある）５５が設けられている。
【実施例４】
【００４２】
図１１(a) は、図９(b) に示したレンズ装置４２をデジタルカメラ３５の図９(b) の背面側から見た拡大斜視図であり、図１１(b) はそのレンズシャッタ装置を単独に示す図である。図１１(a) に示すように、レンズ装置４２には、図１０に示したシャッタ位置（絞り位置）５５に、実施例４としてのレンズシャッタ装置５６が組み込まれている。レンズシャッタ装置５６は、図１１(b) に示すように、やや矩形の平らな板状体をなす装置である。
【００４３】
このレンズシャッタ装置５６の後述する光学的開口部６６（６５、６９）を透過する第２の光軸Ｏ２の終端すなわちレンズ装置４２の下端部には、図１０にも示した撮像素子５４が配置されている。
図１２は、上記実施例４としてのレンズシャッタ装置５６の分解斜視図である。同図に示すように、レンズシャッタ装置５６は、図の左から示す第１の基板５７、第１のスペーサ５８、第１の遮光幕５９、干渉防止部材６１、第２の遮光幕６２、第２のスペーサ６３、及び第２の基板６４とで構成される。この構成の各部材は、中央に配置される干渉防止部材６１の光学的開口部６５の中心点に対し点対称に形成されている。
【００４４】
第１の基板５７は、例えばガラス板のような透明な部材からなり、光学的開口部６６と遮光幕非移動部６７を除く内側面全面に帯状電極６８が設けられている。第２の基板６４も同様にガラス板のような透明な部材からなり、第１の基板５７に対し、干渉防止部材６１の光学的開口部６５の中心点に対し点対称の形状で、光学的開口部６９と遮光幕非移動部７１を除く内側面全面に帯状電極７２が設けられている。
【００４５】
第１のスペーサ５８は、第１の基板５７と干渉防止部材６１との間に第１の遮光幕５９が移動可能な間隙を維持するために配置されている。第２のスペーサ６３も同様に、第２の基板６４と干渉防止部材６１との間に第２の遮光幕６２が移動可能な間隙を維持するために配置されている。
【００４６】
第１及び第２の遮光幕５９及び６２は、図３乃至図６で説明した移動子２４と同様に、予め所望のピッチで電気的に分極されたエレクトレツトが施されており、干渉防止部材６１を挟んで相互に重なる部分が、干渉防止部材６１の光学的開口部６５の中心点に対し点対称の形状で、三角状に切り欠かれて形成されている。
【００４７】
これにより、撮影開始前の設定移動によって三角の谷５９−１と谷６２−１との距離を調節することで、所望の大きさの光学的開口を得ることができるものとなっている。
本例における上記の干渉防止部材６１は、絶縁性の樹脂シートで形成されている。このように、第１の遮光幕５９と第２の遮光幕６２の間に絶縁性の干渉防止部材６１が介在することにより、第１の基板５７及び第２の基板６４に設けられた帯状電極６８及び７２に印加される駆動信号が、それぞれ第２の遮光幕６２及び第１の遮光幕５９の駆動に影響を及ぼすことを低減することができる。
【００４８】
（実施例５〜７）
図１３(a) は、図９(b) に示した実施例５〜７に係わるレンズ装置４２をデジタルカメラ３５の図９(b) の背面側から見た拡大斜視図であり、図１３(b) はそのレンズシャッタ装置を単独に示す図である。
【００４９】
図１３(a) に示すように、レンズ装置４２には、図１０に示したシャッタ位置（絞り位置）５５に、実施例５〜７に係わるレンズシャッタ装置７５（７５−１、７５−２、７５−３）が組み込まれている。レンズシャッタ装置７５は、図１３(b) に示すように、やや矩形の平らな板状体をなし、長手方向端部には、直角に下に曲げて突設されたシャッタ装置端子７６が設けられている。
【００５０】
そして、レンズ装置４２には、図１３(a) に示すように、金属シャーシ７７の図１０に示したシャッタ位置（絞り位置）５５の近傍にシャーシ接続端子７８が設けられている。このシャーシ接続端子７８と上記シャッタ装置端子７６とが、リード線７９を介して接続されている。これらの接続は、半田付け又は導電性接着剤等によって行われる。
【実施例５】
【００５１】
図１４は、実施例５としてのレンズシャッタ装置の分解斜視図である。尚、同図には、図１２と同一構成の部材には、図１２と同一の番号を付与して示している。すなわち、図１４に示すレンズシャッタ装置７５−１は、同図の左から図１２と同一構成の第１の基板５７、第１のスぺーサ５８、第１の遮光幕５９、図１２とは異なる構成の干渉防止部材８１、図１２と同一構成の第２の遮光幕６２、第２のスペーサ６３、及び第２の基板６４で構成されている。
【００５２】
本例の干渉防止部材８１は、光束を制限する光学的開口部８２及び端部に端子部（シャッタ装置端子７６）が形成された金属シートにより構成されている。端子部（シャッタ装置端子７６）は、図１３に示したように、リード線７９及びシャーシ接続端子７８を介してレンズ装置４２の金属シャーシ７７に接続されており、レンズ装置４２は回路基盤３９のグランドに接続されている。
【００５３】
このように、本体装置のグランドに接続された導電性の干渉防止部材８１が第１の遮光幕５９と第２の遮光幕６２の間に介在することにより、第１の基板５７及び第２の基板６４に設けられた帯状電極６８及び７２に印加される駆動信号が、それぞれ第２の遮光幕６２及び第１の遮光幕５９の駆動に影響を及ばす前に干渉防止部材８１により吸収されてシールドされ、これにより、帯状電極６８及び７２に印加される駆動信号が、それぞれ第２の遮光幕６２及び第１の遮光幕５９の駆動に影響を及ぼすことを低減することができる。
【実施例６】
【００５４】
図１５は、実施例６としてのレンズシャッタ装置の分解斜視図である。尚、同図も、図１２と同一構成の部材には、図１２と同一の番号を付与して示している。図１５において、レンズシャッタ装置７５−２は、同図の左から図１２と同一構成の第１の基板５７、切り欠き部５８´−１を形成されて図１２とはやや形状の異なる第１のスペーサ５８´、第１の遮光幕５９、図１２とは異なる構成の干渉防止部材８３、図１２と同一構成の第２の遮光幕６２、第２のスペーサ６３、及び第２の基板６４で構成されている。
【００５５】
本例の干渉防止部材８３は、光束を制限する光学的開口部８４が形成された導電製樹脂シートにより構成され、その端部には、直角に曲げて突設されたシャッタ装置端子７６´が導電性接着剤により固定されている。上記第１のスペーサ５８´の一隅に形成されている切り欠き部５８´−１は、シャッタ装置端子７６´の干渉防止部材８３への接着部との干渉を避けるために設けられている。
【００５６】
上記の干渉防止部材８３を構成する導電製樹脂シートは、例えばソマブラック（登録商標）フイルム（品番：ソマＢ−Ｈ５０ＭＤＥＤ、ソマール株式会社製、ＥＤは導電性の意）などが用いられる。
また、上記のシャッタ装置端子７６´は、この場合も、図１３に示したように、リード線７９及びシャーシ接続端子７８を介してレンズ装置４２の金属シャーシ７７に接続されており、レンズ装置４２は回路基盤３９のグランドに接続される。
【００５７】
この場合も、本体装置のグランドに接続された導電性の干渉防止部材８３が第１の遮光幕５９と第２の遮光幕６２の間に介在することにより、第１の基板５７及び第２の基板６４に設けられた帯状電極６８及び７２に印加される駆動信号が、それぞれ第２の遮光幕６２及び第１の遮光幕５９の駆動に影響を及ぼす前に干渉防止部材８３によりシールドされて、影響を低減することができる。
【実施例７】
【００５８】
図１６は、実施例７としてのレンズシャッタ装置の分解斜視図である。尚、同図には、図１５と同一構成の部材には、図１５と同一の番号を付与して示している。図１６において、レンズシャッタ装置７５−３は、同図の左から図１５と同一構成の第１の基板５７、切り欠き部５８´−１を有する第１のスペーサ５８´、第１の遮光幕５９、図１５とは異なる構成の干渉防止部材８５、図１５と同一構成の第２の遮光幕６２、第２のスペーサ６３、及び第２の基板６４で構成されている。
【００５９】
本例の干渉防止部材８５は、透明の形ス板からなり、中央の光束を制限する光学的開口部８６以外の部分に、導電性の塗装又は金属蒸着等による遮光部８７が設けられている。  そして、その端部に、直角に曲げて突設されたシャッタ装置端子７６´が導電性接着剤により固定されている。このシャッタ装置端子７６も、実施例５及び６の場合と同様に、リード線７９及びシャーシ接続端子７８を介してレンズ装置４２の金属シャーシ７７に接続され、レンズ装置４２は回路基盤３９のグランドに接続される。
【００６０】
そして、この場合も、本体装置のグランドに接続された導電性の干渉防止部材８５が第１の遮光幕５９と第２の遮光幕６２の間に介在することにより、第１の基板５７及び第２の基板６４に設けられた帯状電極６８及び７２に印加される駆動信号が、それぞれ第２の遮光幕６２及び第１の遮光幕５９の駆動に影響を及ぼす前に干渉防止部材８５によりシールドされて、影響を低減することができる。
【図面の簡単な説明】
【００６１】
【図１】(a) は本発明の光量調節装置としてのフォーカルプレーンシャッタ装置を組み込んだカメラ本体のレンズを取り外した正面図、(b) はそのレンズの正面図、(c) は(a) のフォーカルプレーンシャッタ装置を取り除いてその背後の最奥部分の構成を示す図である。
【図２】(a) は実施例１のフォーカルプレーンシャッタ装置の分解斜視図、(b) は(a) のＡ矢視図である。
【図３】(a),(b) は本発明のシャッタ装置のシャッタ機構の駆動原理を説明する図である。
【図４】本発明のシャッタ装置に係わるエレクトレットシャッタとその駆動回路を模式的に示す図である。
【図５】エレクトレットシャッタの駆動回路によって生成されて帯状電極に印加される電圧信号列を示す図である。
【図６】エレクトレットシャッタの動作を更に説明する図である。
【図７】実施例２としてのフォーカルプレーンシャッタ装置の分解斜視図である。
【図８】実施例３としてのフォーカルプレーンシャッタ装置の分解斜視図である。
【図９】(a),(b) は実施例４の光量調節装置としてのレンズシャッタ装置を備えたレンズ装置が組み込まれるデジタルカメラの概略構成を示す図である。
【図１０】実施例４に係わるレンズ装置のＡ−Ａ´矢視断面をデジタルカメラの左方から見てレンズユニット各部の概略の構成を示す図である。
【図１１】(a) は実施例４に係わるレンズ装置をデジタルカメラの背面側から見た拡大斜視図、(b) はそのシャッタ装置を単独に示す図である。
【図１２】実施例４としてのレンズシャッタ装置の分解斜視図である。
【図１３】(a) は実施例５〜７に係わるレンズ装置をデジタルカメラの背面側から見た拡大斜視図、(b) はそのレンズシャッタ装置を単独に示す図である。
【図１４】実施例５としてのレンズシャッタ装置の分解斜視図である。
【図１５】実施例６としてのレンズシャッタ装置の分解斜視図である。
【図１６】実施例７としてのレンズシャッタ装置の分解斜視図である。
【符号の説明】
【００６２】
１      カメラ本体
２      交換レンズ取り付け部
３      交換レンズ
４      フォーカルプレーンシャッタ装置
５      握り部
６      シャッタボタン
７      撮像素子受光面
８      第１の基板
９      第１のスペーサ
１０    第１の遮光幕
１１    干渉防止部材
１２    第２の遮光幕
１３    第２のスペーサ
１４    第２の基板
１５    光学的開口部
１６    塗装
１７    遮光幕非移動部
１８    帯状電極（駆動電極）
１９    光学的開口部
２１    遮光幕非移動部
２２    帯状電極（駆動電極）
２３    固定子
２４    移動子
２５    光学的開口部
２６    帯状電極（駆動電極）
２７    駆動（電圧印加）回路
２８（２８ａ、２８ｂ）  誘電体（エレクトレット）
２９−１  パルス発生回路
２９−２  昇圧回路
２９−３  位相器
３０    フォーカルプレーンシャッタ装置
３１    干渉防止部材
３２    フォーカルプレーンシャッタ装置
３３    スぺーサ
３４    干渉防止部材
３５    デジタルカメラ
３６    撮影レンズ窓
３７    ストロボ照射窓
３８    レリーズボタン
３９    回路基板
４１    電池
４２    レンズ装置
Ｏ２    第２の光軸
４３    第１の固定鏡枠部
４４    第１の固定レンズ部
４５    第１の移動鏡枠
４６    第１の移動レンズ部
４７    第２の移動鏡枠
４８    第２の移動レンズ部
４９    第３の移動鏡枠
５１    第３の移動レンズ部
５２    第２の固定鏡枠部
５３    第２の固定レンズ部
５４    撮像素子
５５    シャッタ位置（絞り位置でもある）
５６    レンズシャッタ装置
５７    第１の基板
５８、５８´  第１のスペーサ
５８´−１  切り欠き部
５９    第１の遮光幕
５９−１  三角の谷
６１    干渉防止部材
６２    第２の遮光幕
６２−１  三角の谷
６３    第２のスペーサ
６４    第２の基板
６５、６６、６９  光学的開口部
６７、７１  遮光幕非移動部
６８、７２  帯状電極（駆動電極）
７５（７５−１、７５−２、７５−３）  レンズシャッタ装置
７６    シャッタ装置端子
７６´  シャッタ装置端子
７７    金属シャーシ
７８    シャーシ接続端子
７９    リード線
８１、８３、８５  干渉防止部材
８２、８４、８６  光学的開口部
８７    遮光部
【図１】
2005316328.tif 000003
【図２】
2005316328.tif 000004
【図３】
2005316328.tif 000005
【図４】
2005316328.tif 000006
【図５】
2005316328.tif 000007
【図６】
2005316328.tif 000008
【図７】
2005316328.tif 000009
【図８】
2005316328.tif 000010
【図９】
2005316328.tif 000011
【図１０】
2005316328.tif 000012
【図１１】
2005316328.tif 000013
【図１２】
2005316328.tif 000014
【図１３】
2005316328.tif 000015
【図１４】
2005316328.tif 000016
【図１５】
2005316328.tif 000017
【図１６】
2005316328.tif 000018